(57)【特許請求の範囲】
【請求項１】
道路の位置を示す位置情報と道路の属性を示す属性情報とを取得する属性情報取得部と、
道路の点検によって取得される前記道路の状態を示す状態情報を取得する点検データ取得部と、
投稿者から投稿された位置を示す入力情報と前記道路に関する情報を示す投稿情報とを取得する投稿情報取得部と、
前記属性情報と、前記状態情報と、前記投稿情報とを記憶する記憶部と、
前記投稿情報と、前記属性情報と、前記状態情報と、道路毎に定められた求められる安全性の高さを示す安全性とに基づいて前記道路の修繕の優先度を判定する修繕優先度判定部と、
を備える道路維持管理システム。
【請求項２】
前記修繕優先度判定部は、前記道路付近の施設等から判断された利用頻度の高さを示す利用頻度と、前記道路付近の地域の用途に応じて設定された重要度の高さを示す用途地域とをさらに含めて前記道路の修繕の優先度を判定する、請求項１に記載の道路維持管理システム。
【請求項３】
前記記憶部は、前記投稿情報の重要度を算出するための基準となる採点基準情報を記憶し、
前記採点基準情報に基づいて、前記投稿情報取得部から投稿された投稿情報ごとの重要度情報を算出する重要度算出部をさらに備え、
前記修繕優先度判定部は、前記重要度情報と、前記属性情報と、前記状態情報と、前記安全性とに基づいて前記優先度を判定する、
請求項１に記載の道路維持管理システム。
【請求項４】
前記採点基準情報は、付近の投稿件数、道路管理者の評価、投稿者の種別、キーワード、投稿の時期の何れかの項目を含み、
前記重要度算出部は、項目毎に配点を合算して前記重要度情報を算出する、
請求項３に記載の道路維持管理システム。
【請求項５】
前記採点基準情報は、前記道路管理者によって設定可能である、
請求項４に記載の道路維持管理システム。
【請求項６】
情報を表示する表示部と、
前記表示部に対し、前記属性情報、前記状態情報、前記投稿情報、重要度情報、及び道路管理者の評価結果である管理者評価情報のうち少なくとも前記優先度の判定に用いられた情報と、前記優先度との対応を、前記道路ごとの一覧として表示させる表示制御部とをさらに備える、請求項１に記載の道路維持管理システム。
【請求項７】
情報を表示する表示部と、
前記道路を含む地図を前記表示部に表示させ、判定された修繕優先度毎に前記地図上の表示を変えることで、前記地図上で前記道路の修繕優先度を視覚的に識別可能な態様で表示させる表示制御部とをさらに備える、
請求項１に記載の道路維持管理システム。
【請求項８】
前記表示制御部は、更に前記地図上の入力位置情報が示す位置に、前記位置において前記投稿情報が取得されたことを示す情報を表示させる、
請求項７に記載の道路維持管理システム。
【請求項９】
前記記憶部は、更に道路の補修に関する工事情報を記憶する工事情報記憶部を備え、
修繕工事が行われた前記道路について、前記修繕工事の前後の投稿情報の比較に基づいて、前記修繕工事の効果を判定する効果判定部を
さらに備える、請求項１に記載の道路維持管理システム。
【請求項１０】
前記効果判定部は、前記修繕工事の前に投稿情報に対する採点基準を用いた評価点と、前記修繕工事の後の投稿情報に対する前記採点基準を用いた評価点とを比較することで、修繕工事の効果を判定する、
請求項９に記載の道路維持管理システム。
【請求項１１】
前記効果判定部は、前記修繕工事の前に投稿情報の投稿件数と、前記修繕工事の後における投稿情報の投稿件数とを比較することで、修繕工事の効果を判定する、
請求項９に記載の道路維持管理システム。
【請求項１２】
道路の位置を示す位置情報と道路の属性を示す属性情報とを取得する属性情報取得ステップと、
道路の点検によって取得される前記道路の状態を示す状態情報を取得する点検データ取得ステップと、
投稿者から投稿された位置を示す入力情報と前記道路に関する情報を示す投稿情報とを取得する投稿情報取得ステップと、
前記属性情報と、前記状態情報と、前記投稿情報とを記憶部に記憶する記憶ステップと、
前記投稿情報と、前記属性情報と、前記状態情報と、道路毎に定められた求められる安全性の高さを示す安全性とに基づいて前記道路の修繕の優先度を判定する修繕優先度判定ステップと、
を有する制御方法。
【請求項１３】
道路の位置を示す位置情報と道路の属性を示す属性情報とを取得する属性情報取得ステップと、
道路の点検によって取得される前記道路の状態を示す状態情報を取得する点検データ取得ステップと、
投稿者から投稿された位置を示す入力情報と前記道路に関する情報を示す投稿情報とを取得する入力情報取得ステップと、
前記属性情報と、前記状態情報と、前記入力情報とを記憶部に記憶する記憶ステップと、
前記投稿情報と、前記属性情報と、前記状態情報と、道路毎に定められた求められる安全性の高さを示す安全性とに基づいて前記道路の修繕の優先度を判定する修繕優先度判定ステップと、
を備える道路維持管理システムとして、
コンピュータを機能させるためのコンピュータプログラム。
【発明の詳細な説明】
【技術分野】
【０００１】
本発明の実施形態は、道路維持管理システム、制御方法及びコンピュータプログラムに関する。
【背景技術】
【０００２】
従来、高速道路や直轄国道などを始めとする主要幹線道路では、路面性状測定車などによる道路舗装の点検が行われている。道路管理者は、点検の結果に基づいて、補修の対象となる道路の決定、補修計画の立案、補修の実行を定期的に行い、計画的に道路の維持管理を行っている。このような道路の維持管理を支援するため、道路の点検によって取得される点検データに基づいて、補修の対象となる道路の選定や、補修の優先度を判定する技術が提案されている。
【０００３】
しかしながら、従来技術の多くは、道路の点検により、道路の状態に関する十分な情報が取得されることが前提となっている場合が多い。そのため、従来技術は、予算不足や人員不足等の要因により、十分な点検を行うことができない自治体における道路の維持管理に必ずしも適合しない場合があった。
【先行技術文献】
【特許文献】
【０００４】
【特許文献１】特開２００８−２９７７６４号公報
【特許文献２】特開２００５−１８２６４６号公報
【発明の概要】
【発明が解決しようとする課題】
【０００５】
本発明が解決しようとする課題は、より簡易に道路の補修の優先度を判定することができる道路維持管理システム、制御方法及びコンピュータプログラムを提供することである。
【課題を解決するための手段】
【０００６】
実施形態の道路維持管理システムは、属性情報取得部と、点検データ取得部と、投稿情報取得部と、記憶部と、修繕優先度判定部とを持つ。属性情報取得部は、道路の位置を示す位置情報と道路の属性を示す属性情報とを取得する。点検データ取得部は、道路の点検によって取得される前記道路の状態を示す状態情報を取得する。投稿情報取得部は、投稿者から投稿された位置を示す入力情報と前記道路に関する情報を示す投稿情報とを取得する。記憶部は、前記属性情報と、前記状態情報と、前記投稿情報とを記憶する。修繕優先度判定部は、前記投稿情報と、前記属性情報と、前記状態情報と、道路毎に定められた求められる安全性の高さを示す安全性とに基づいて前記道路の修繕の優先度を判定する。
【図面の簡単な説明】
【０００７】
【図１】第１の実施形態の道路維持管理システム１００の概要を示す概略図。
【図２】道路維持管理システム１００の機能構成を示す機能ブロック図。
【図３】入力情報テーブル１０４１の具体例を示す図。
【図４】道路情報テーブル１０５１の具体例を示す図。
【図５】投稿者の端末装置に表示される入力画面の具体例を示す図。
【図６】入力情報の採点基準の具体例を示す図。
【図７】優先度表示画面の具体例を示す図。
【図８】道路維持管理システム１００が行う優先度算出処理の流れを示すフローチャート。
【図９】第２の実施形態の道路維持管理システム１００ａの機能構成を示す機能ブロック図。
【図１０】優先度表示画面の第２の態様の具体例を示す図。
【図１１】第３の実施形態の道路維持管理システム１００ｂの機能構成を示す機能ブロック図。
【図１２】工事情報テーブル１１３１の具体例を示す図。
【発明を実施するための形態】
【０００８】
以下、実施形態の道路維持管理システム、制御方法及びコンピュータプログラムを、図面を参照して説明する。
【０００９】
（第１の実施形態）
図１は、第１の実施形態の道路維持管理システム１００の概要を示す概略図である。
道路維持管理システム１００は、道路の修繕の優先度（以下、「修繕優先度」という。）を算出することによって、道路管理者の維持管理業務を支援するシステムである。なお、ここでいう道路とは、国や地方公共団体等の公共機関によって管理される公道のことである。道路維持管理システム１００は、属性情報、点検情報及び入力情報に基づいて修繕優先度を算出する。属性情報は、幅員や延長、位置、舗設時期、道路の利用用途、道路の利用頻度などの道路の属性を示す情報である。このような属性情報は既知の情報であり、例えば属性情報を保持する既存の外部システム等から取得することができる。
【００１０】
点検情報（状態情報）は、道路の舗装の状態を示す情報である。点検情報は、道路の点検において取得される各種の点検データから生成される。例えば、点検データが、道路が撮像された画像データとして取得される場合、画像データに画像処理を施すことによって、舗装のひび割れ率、わだち掘れの状態、平坦性などの点検情報が取得される。この点検データは、道路の定期点検や、道路管理者の日常の点検によって取得される。道路の定期点検や、道路管理者の日常の点検は、国や地方公共団体等の公共機関が主体となって行われるものである。
【００１１】
定期点検は、路面性状測定車等の専用車両を用いて定期的かつ計画的に行われる大規模な点検である。一般に、高速道路や直轄国道などの主要な幹線道路では、２〜３年に一度の頻度で定期点検が行われている。このような定期点検では、ある程度広い範囲の道路について点検データが取得される。一方、道路管理者の日常の点検は、問題のある箇所や重要な箇所などを対象とする局所的な点検が主となる。そのため、道路管理者の日常の点検では、ある程度限定された範囲の道路について点検データが取得される。以下、定期点検によって取得される点検データを定期点検データと呼び、日常の点検によって取得される点検データを個別点検データと呼ぶ。
【００１２】
入力情報は、日常的に発信される道路に関する様々な情報である。例えば、入力情報は、ＬＩＮＥ（登録商標）、Ｆａｃｅｂｏｏｋ（登録商標）、Ｔｗｉｔｔｅｒ（登録商標）などのＳＮＳ（Social Networking Service）を介して発信される情報であってもよいし、専用のＷＥＢサイトに投稿される情報であってもよい。また、入力情報は、窓口に寄せられる苦情や要望等の電話が録音された音声データであってもよいし、窓口のメールアドレスに送信されるメールデータであってもよい。このように、入力情報は、道路に関する情報であれば、取得手段や伝達手段、用途によらないどのような情報であってもよい。道路維持管理システム１００は、このように様々な態様で発信される入力情報を収集し、データの抽出やフォーマット変換等の処理を行って、収集された入力情報を自システムで扱うことのできる形式に変換し蓄積する。様々な形式のデータから、必要なデータの抽出やフォーマット変換等を行う技術は数多く提案されており、道路維持管理システム１００は、そのような既存技術を用いて入力情報を収集するように構成されてもよい。
【００１３】
従来、属性情報及び定期点検情報に基づいて道路の修繕優先度を判定することが行われているが、定期点検のような大規模な点検を定期的かつ計画的に実施するためには、多くのコストを要する。そのため、定期点検を実施できない場合、修繕優先度の判定に必要とされる十分な定期点検情報を取得できず、修繕優先度を判定することができない場合があった。このような問題に対して、実施形態の道路維持管理システム１００は、個別点検情報及び入力情報を用いて不足する定期点検情報を補うことで、十分な定期点検情報が取得できない場合であっても、修繕優先度を判定することができる。
【００１４】
以下、実施形態の道路維持管理システム１００の構成について詳細を説明するが、実施形態の説明を簡単にするために、以下の説明では、道路維持管理システム１００は、道路に関する投稿を受け付ける専用のＷＥＢサイトとしての機能を備え、投稿者によって投稿された情報を入力情報として取得すると仮定する。
【００１５】
図２は、道路維持管理システム１００の機能構成を示す機能ブロック図である。
道路維持管理システム１００は、バスで接続されたＣＰＵ（Central Processing Unit）やメモリや補助記憶装置などを備え、道路維持管理プログラムを実行する。道路維持管理システム１００は、道路維持管理プログラムの実行によって通信部１０１、入力部１０２、表示部１０３、入力情報記憶部１０４、道路情報記憶部１０５、入力情報取得部１０６、重要度算出部１０７、管理者登録部１０８、点検データ取得部１０９、優先度算出部１１０及び表示制御部１１１を備える装置として機能する。なお、道路維持管理システム１００の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。道路維持管理プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。道路維持管理プログラムは、電気通信回線を介して送信されてもよい。
【００１６】
通信部１０１は、ＬＡＮ（Local Area Network）等の通信インターフェースを用いて構成される。通信部１０１は、投稿者が自システムに入力情報を送信する装置（以下、「端末装置」という。）と通信する。
【００１７】
入力部１０２は、マウスやキーボード、タッチパネル等の入力装置を用いて構成される。又は、入力部１０２は、これらの入力装置を自装置に接続するインターフェースとして構成されてもよい。入力部１０２は、道路管理者による操作の入力を受け付ける。道路管理者は、入力部１０２を操作することにより、入力情報に対する評価の入力や、点検データの入力、修繕優先度の算出の指示等を行う。
【００１８】
表示部１０３は、ＣＲＴ（Cathode Ray Tube）ディスプレイや液晶ディスプレイ、有機ＥＬ（Electro-Luminescence）ディスプレイ等の表示装置を用いて構成される。又は、表示部１０３は、これらの表示装置を自装置に接続するインターフェースとして構成されてもよい。表示部１０３は、表示制御部１１１の指示に応じて、優先度算出部１１０の算出結果を示す優先度表示画面を表示する。
【００１９】
入力情報記憶部１０４及び道路情報記憶部１０５は、磁気ハードディスク装置や半導体記憶装置などの記憶装置を用いて構成される。入力情報記憶部１０４は、入力情報を保持す入力情報テーブル１０４１を記憶する。道路情報記憶部１０５は、属性情報及び点検情報を保持する道路情報テーブル１０５１を記憶する。
【００２０】
図３は、入力情報テーブル１０４１の具体例を示す図である。
入力情報テーブル１０４１は、投稿ＩＤごとに入力情報レコードを有する。入力情報レコードは、投稿ＩＤ、道路ＩＤ、投稿者ＩＤ、投稿者属性情報、位置情報（入力位置情報）、入力日時情報、タイトル情報、本文情報、画像情報、コメント情報、カテゴリ情報、一般評価情報、管理者評価情報（第２の重要度情報）及び重要度情報の各値を有する。
【００２１】
投稿ＩＤは、入力情報レコードの識別情報である。投稿ＩＤは、投稿者によって入力情報が投稿されるごとに割り当てられる。道路ＩＤは、投稿ＩＤが示す入力情報によって投稿される内容が示す道路の識別情報である。道路ＩＤは後述する道路情報テーブル１０５１の道路ＩＤに対応する。投稿者ＩＤは、投稿ＩＤが示す入力情報を投稿した投稿者の識別情報である。投稿者属性情報は、投稿者ＩＤが示す投稿者の属性を示す情報である。例えば、投稿者属性情報は、年齢や性別、役職などの情報である。位置情報は、投稿ＩＤが示す入力情報が取得された位置を示す情報である。例えば、位置情報は、緯度及び経度で表される情報である。
【００２２】
入力日時情報は、投稿ＩＤが示す入力情報が投稿された日時を示す情報である。タイトル情報は、投稿ＩＤが示す入力情報のタイトルを表す。本文情報は、投稿ＩＤが示す入力情報の本文を示す。画像情報は、投稿ＩＤが示す入力情報によって投稿された画像データである。コメント情報は、投稿ＩＤが示す入力情報に対して付加されたコメントを表す情報である。管理者評価情報は、投稿ＩＤが示す入力情報に対して、道路管理者が行った評価を示す情報である。カテゴリ情報は、入力情報が示す内容が属するカテゴリを示す情報である。一般評価情報は、投稿ＩＤが示す入力情報に対して、道路管理者以外のユーザが行った評価を示す情報である。重要度情報は、投稿ＩＤが示す入力情報の重要度を示す情報である。入力情報の重要度とは、修繕優先度の判定に入力情報をどの程度加味するかを示す値である。
【００２３】
入力情報レコードは、入力情報に基づいて入力情報取得部１０６によって生成され、入力情報テーブル１０４１に登録される。なお、入力情報レコードが有する項目のうち、重要度情報の値は、入力情報取得部１０６によって登録された入力情報レコードの重要度情報以外の各値に基づいて重要度算出部１０７により生成され、登録される。
【００２４】
図４は、道路情報テーブル１０５１の具体例を示す図である。
道路情報テーブル１０５１は、道路ＩＤごとに道路情報レコードを有する。道路情報レコードは、道路ＩＤ、道路名、点検情報、道路属性情報及び優先度情報の各値を有する。道路ＩＤは、道路の識別情報である。道路名は、道路ＩＤが示す道路の名称である。点検情報は、道路ＩＤが示す道路の点検データから生成された点検情報である。道路属性情報は、道路幅員や延長、位置（道路位置情報）、舗設時期、道路の利用用途、道路の利用頻度、交通量などの道路の属性を示す情報である。優先度情報は、道路ＩＤが示す道路の修繕優先度を示す情報である。道路情報レコードは、属性情報に基づいて予め道路管理者によって道路情報テーブル１０５１に登録される。なお、道路情報レコードが有する項目のうち、点検情報の値は、定期点検又は個別点検が実施されたタイミングで点検データ取得部１０９によって登録又は更新される。また、道路情報レコードが有する項目のうち、優先度情報の値は、優先度算出部１１０によって登録される。
【００２５】
図２の説明に戻る。
入力情報取得部１０６は、通信部１０１を介して投稿者の端末装置から入力情報を取得する。例えば、入力情報取得部１０６は、図５に示すような入力画面を投稿者の端末装置に表示させる。投稿者が入力画面の案内に従って情報を入力することによって、入力情報取得部１０６は、所定のフォーマットで入力情報を取得することができる。入力情報取得部１０６は、取得した入力情報に基づいて入力情報レコードを生成し、入力情報テーブル１０４１に登録する。
【００２６】
図５は、投稿者の端末装置に表示される入力画面の具体例を示す図である。
入力画面２００は、投稿者の端末装置に表示される入力画面の一例である。例えば、入力画面２００は、タイトル入力領域２０１、カテゴリ入力領域２０２、本文入力領域２０３、画像入力領域２０４、位置入力領域２０５及び送信ボタン２０６を備える。タイトル入力領域２０１は、入力画面２００に入力される内容のタイトルが入力される領域である。カテゴリ入力領域２０２は、入力画面２００に入力される内容のカテゴリが入力される領域である。図５の例では、カテゴリ入力領域２０２は、複数のカテゴリから任意のカテゴリを選択させるためのチェックボックスが表示される態様で構成される。
【００２７】
本文入力領域２０３は、入力画面２００で投稿される道路に関する情報の本文が入力される領域である。画像入力領域２０４は、本文入力領域２０３に入力された内容を補足する情報として画像が入力される領域である。位置入力領域２０５は、本文入力領域２０３に入力された内容が認知された位置に関する情報が入力される領域である。位置入力領域２０５は、住所を示す文字列が入力される領域として構成されてもよいし、地図を表示する既存のアプリケーションを用いて構成されてもよい。
【００２８】
送信ボタン２０６は、入力画面２００に入力された情報の送信を実行する操作の入力を受け付ける入力ボタンである。送信ボタン２０６が押下されると、入力画面２００に入力された情報は入力情報として道路維持管理システム１００に送信される。このとき、位置入力領域２０５に入力された情報は、緯度及び経度などで表される位置情報に変換されて送信されるものとする。
【００２９】
図２の説明に戻る。
重要度算出部１０７は、入力情報取得部１０６によって取得された入力情報ごとに重要度（第１の重要度情報）を算出する。例えば、重要度算出部１０７は、予め定められた１つ以上の採点基準に基づいて各入力情報を採点する。そして、重要度算出部１０７は、全ての採点基準における得点の合計を、その入力情報の重要度として算出する。
【００３０】
図６は、入力情報の採点基準の具体例を示す図である。
図６の例では、採点基準の例として、「付近の件数」、「評価」、「投稿者の種別」、「キーワード」及び「投稿の時期」が示されている。「付近の件数」は、ある入力情報が投稿された位置付近において別の投稿が多く発生しているか否かを判断するための基準である。「付近の件数」は、入力情報に含まれる位置情報から判断することができる。「付近の件数」が多い場合、その地域は多くの問題が発生していると判断されるため、高得点が付与される。
【００３１】
「評価」は、ある入力情報がどの程度の評価を得ているかを判断するための基準である。「評価」は、入力情報に含まれる評価情報から判断することができる。「評価」が高い場合、同様の意見を持つ人が多いと判断されるため、高得点が付与される。
【００３２】
「投稿者の種別」は、入力情報の投稿者がどの程度の影響力を持つ人物であるかを判断するための基準である。「投稿者の種別」は、入力情報レコードの投稿者属性情報から判断することができる。「投稿者の種別」が、例えば、議員や地主、役所関係者などである場合、その意見は多くの地域住民の意見を反映していると判断されるため、高得点が付与される。
【００３３】
「キーワード」は、入力情報がどの程度の危険性を訴えているかを判断するための基準である。「キーワード」は、入力情報レコードの本文情報から判断することができる。例えば、本文情報に「怪我」や「事故」などの具体的な被害を表す言葉が含まれている場合、その入力情報には高得点が付与される。また、本文情報に「穴」や「段差」などの道路の状況のみが含まれている場合、具体的な被害は発生していないと判断されるため、その入力情報には低得点が付与される。
【００３４】
「投稿の時期」は、入力情報がどの程度の鮮度を持つかを判断するための基準である。「投稿の時期」は、入力情報レコードの入力日付から判断することができる。入力日付が新しい場合、その入力情報は鮮度が高く、実状を正しく表している可能性が高いと判断されるため、その入力情報には高得点が付与される。
【００３５】
重要度算出部１０７は、上記のような採点基準により、各入力情報を採点して各入力情報の重要度を算出する。重要度算出部１０７は、算出した重要度の値を対応する入力情報レコードの重要度情報に登録する。
【００３６】
なお、上述した採点基準や得点付与の考え方は本実施形態における一例である。重要度を算出するための採点基準や得点付与の考え方は、投稿者の意見をより適切に判断することが可能であれば、上記と異なる基準や考え方で策定されてもよい。
【００３７】
図２の説明に戻る。
管理者登録部１０８は、入力情報に対する道路管理者の評価を入力情報テーブル１０４１に登録する。具体的には、道路管理者は、入力部１０２を操作して、入力情報に対する管理者評価を入力する。管理者登録部１０８は、入力部１０２から道路管理者によって入力された情報を取得する。ここで取得される情報には、入力情報の識別情報と、道路管理者の評価の値とが含まれる。管理者登録部１０８は、入力情報の識別情報が示す入力情報レコードの管理者評価情報に、取得された評価の値を登録する。
【００３８】
点検データ取得部１０９は、道路管理者の操作により入力される点検情報を入力部１０２から取得する。入力される点検データには、道路ＩＤが含まれる。点検データ取得部１０９は、取得された点検データに基づいて、道路面の状態を示す点検情報を生成する。点検データ取得部１０９は、道路ＩＤが示す道路情報レコードの点検情報に、生成した点検情報を登録する。
【００３９】
優先度算出部１１０は、入力情報及び道路情報に基づいて、各道路の修繕優先度を算出する。優先度算出部１１０は、算出した修繕優先度を道路情報テーブル１０５１に登録する。優先度算出部１１０は、入力部１０２から出力される道路管理者の指示に応じて、修繕優先度を算出する。
【００４０】
表示制御部１１１は、修繕優先度を示す優先度表示画面を表示させる画面データを生成する。表示制御部１１１は、生成した画面データを表示部１０３に出力する。
【００４１】
図７は、優先度表示画面の具体例を示す図である。
優先度表示画面３００は、修繕優先度を示す優先度表示画面の一例である。優先度表示画面３００は、道路ごとの修繕優先度を一覧表示する画面である。図７の例の場合、優先度表示画面３００は、道路の識別情報及び修繕優先度情報のほか、道路種別、舗設年度、点検情報、安全性、利用頻度、用途地域、交通量、重要度が表示される画面として構成されている。優先度表示画面３００は、道路の識別情報及び修繕優先度情報が含まれれば、図７の例に表示される以外の情報を表示するように構成されてもよい。このように、各道路の修繕優先度と、修繕優先度の算出に用いられた情報が一覧表示されることによって、道路管理者は、算出された修繕優先度の妥当性を容易に確認することが可能となる。
【００４２】
図８は、道路維持管理システム１００が行う優先度算出処理の流れを示すフローチャートである。
まず、入力情報取得部１０６は、入力情報が受信されたか否かを判定する（ステップＳ１０１）。入力情報が受信された場合（ステップＳ１０１−ＹＥＳ）、入力情報取得部１０６は、受信された入力情報を入力情報テーブル１０４１に登録する（ステップＳ１０２）。入力情報取得部１０６は、入力情報を登録すると、登録した入力情報の重要度の算出を、重要度算出部１０７に指示する。
【００４３】
重要度算出部１０７は、入力情報テーブル１０４１を参照し、入力情報レコードが持つ各項目の値に基づいて、入力情報ごとに重要度を算出する（ステップＳ１０３）。重要度算出部１０７は、算出した各入力情報の重要度を、対応する入力情報レコードの重要度情報に登録する。
【００４４】
一方、ステップＳ１０１において、入力情報が受信されていない場合（ステップＳ１０１−ＮＯ）、道路維持管理システム１００は、ステップＳ１０２及びステップＳ１０３を実行せずステップＳ１０４に進む。
【００４５】
次に、点検データ取得部１０９は、点検データが入力されたか否かを判定する（ステップＳ１０４）。点検データが入力された場合（ステップＳ１０４−ＹＥＳ）、点検データ取得部１０９は、入力された点検データに基づいて点検情報を生成する（ステップＳ１０５）。点検データ取得部１０９は、生成された点検情報を、道路情報記憶部１０５１に登録する（ステップＳ１０６）。
【００４６】
一方、ステップＳ１０４において、点検データが入力されていない場合（ステップＳ１０４−ＮＯ）、道路維持管理システム１００は、ステップＳ１０５及びステップＳ１０６を実行せずステップＳ１０７に進む。
【００４７】
次に、優先度算出部１１０は、優先度算出の指示が入力されたか否かを判定する（ステップＳ１０７）。優先度算出の指示が入力されていない場合（ステップＳ１０７−ＮＯ）、ステップＳ１０１に戻り、道路維持管理システム１００は、入力情報及び点検データの収集を繰り返す。一方、優先度算出の指示が入力された場合（ステップＳ１０７−ＹＥＳ）、優先度算出部１１０は、点検情報、入力情報及び属性情報に基づいて、各道路について修繕優先度の算出を行う（ステップＳ１０８）。
【００４８】
例えば、優先度算出部１１０は、図７の例に示されるように、点検情報、安全性、利用頻度、用途地域、交通量及び重要度の値に基づいて修繕優先度を算出する。安全性は、対応する道路に求められる安全性の高さを示す値である。利用頻度は、対応する道路付近に存在する施設等から判断された利用頻度の高さを示す値である。用途地域は、対応する道路付近の地域の用途に応じて設定された重要度の高さを示す値である。交通量は、対応する道路の交通量に応じて設定された重要度の高さを示す値である。安全性、利用頻度、用途地域及び交通量の各値は、道路情報レコードの道路属性情報として予め登録されている。優先度算出部１１０は、入力情報テーブル１０４１から各道路の重要度情報を取得する。また、優先度算出部１１０は、道路情報テーブル１０４１から各道路の点検情報及び道路属性情報を取得する。優先度算出部１１０は、取得した点検情報、道路属性情報及び重要度情報に基づいて、例えば次の式により修繕優先度を算出する。
修繕優先度＝点検情報×（安全性＋利用頻度＋用途地域＋交通量）＋重要度
【００４９】
優先度算出部１１０は、算出した各道路の修繕優先度を、対応する道路情報レコードの優先度情報に登録する。そして、優先度算出部１１０は、優先度表示画面の表示を表示制御部１１１に指示する。
【００５０】
表示制御部１１１は、優先度表示画面を表示部１０３に表示させるための画面データを生成する。表示制御部１１１は、生成した画面データを表示部１０３に出力する。表示部１０３は、画面データを表示制御部１１１から取得し、優先度表示画面を表示する（ステップＳ１０９）。
【００５１】
このように構成された第１の実施形態の道路維持管理システム１００は、投稿者から送信される入力情報と、道路の点検によって取得される点検情報とに基づいて、管理対象の道路について修繕優先度を判定する。このように、道路維持管理システム１００は、修繕優先度の判定に投稿者から送信される入力情報を用いることによって、定期点検による点検情報の取得が困難な場合であっても、道路の修繕優先度を判定することが可能となる。
【００５２】
また、実施形態の道路維持管理システム１００は、入力情報ごとに入力情報の重要度を算出する。この重要度の算出によって、道路維持管理システム１００は、入力情報に重み付けを行うことができ、より適切な修繕優先度を判定することが可能となる。
【００５３】
次に、第１の実施形態の道路維持管理システム１００の変形例について説明する。
【００５４】
優先度表示画面には、各道路の修繕工事を行う場合に要する費用が表示されてもよい。例えば、この場合、道路維持管理システム１００は、単位面積当たりに要する修繕工事の費用の情報を予め記憶する。表示制御部１１１は、道路情報テーブル１０５１を参照し、各道路の道路属性情報を取得する。表示制御部１１１は、取得した道路属性情報に含まれる各道路の幅員及び延長の情報と、単位面積当たりの費用の情報とに基づいて、各道路の修繕に要する費用を算出する。表示制御部１１１は、算出した各道路の修繕に要する必要を画面データに含め、表示部１０３に出力する。
【００５５】
修繕優先度は、点検情報、道路属性情報、重要度情報の他、修繕工事の優先度に影響する他のどのような情報に基づいて算出されてもよい。例えば、修繕優先度の算出には、管理者評価情報が用いられてもよい。
【００５６】
重要度算出部１０７が重要度を算出するための採点基準や得点付与の考え方は、必要に応じて変更することが可能なように構成されてもよい。その場合、例えば、図６に例示された採点基準を示す情報（基準情報）を採点基準テーブルとして記憶する記憶部を備え、重要度算出部１０７は、採点基準テーブルを参照して重要度を算出する。この場合、管理者登録部１０８（基準情報取得部）は、入力部１０２からの道路管理者の入力に応じて、採点基準テーブルを更新するように構成されてもよい。
【００５７】
（第２の実施形態）
図９は、第２の実施形態の道路維持管理システム１００ａの機能構成を示す機能ブロック図である。
図９では、図２と同様の機能を有する機能部には図２と同じ符号を付すことによって説明を省略する。
道路維持管理システム１００ａは、優先度算出部１１０に代えて優先度算出部１１０ａを備える点、表示制御部１１１に代えて表示制御部１１１ａを備える点、地図情報記憶部１１２をさらに備える点で、第１の実施形態の道路維持管理システム１００と異なる。
【００５８】
地図情報記憶部１１２は、磁気ハードディスク装置や半導体記憶装置などの記憶装置を用いて構成される。地図情報記憶部１１２に、管理対象の道路を含む地図情報が予め記憶される。
【００５９】
優先度算出部１１０ａは、優先度算出部１１０と同様の処理を行って修繕優先度を算出する。さらに、優先度算出部１１０ａは、入力部１０２から入力される道路管理者の操作に応じて、表示部１０３に表示させる優先度表示画面の態様を、表示制御部１１１ａに指示する。優先度表示画面の態様には、第１の態様と第２の態様とがある。優先度表示画面の第１の態様は、図７の例に示されるような、道路ごとの修繕優先度を一覧表示する画面である。これに対して、優先度表示画面の第２の態様は、後述する図１０の例のように修繕優先度を地図にマッピングして表示する画面である。道路管理者の指示には、優先度表示画面を第１の態様又は第２の態様のいずれかで表示させることを示す画面選択情報が含まれる。
【００６０】
表示制御部１１１ａは、優先度算出部１１０ａの指示に応じて、優先度表示画面を第１の態様又は第２の態様のいずれかの態様で表示部１０３に表示させる画面データを生成する。表示制御部１１１ａは、生成した画面データを表示部１０３に出力する。
【００６１】
図１０は、優先度表示画面の第２の態様の具体例を示す図である。
優先度表示画面４００は、優先度表示画面の第２の態様の一例である。優先度表示画面４００は、道路ごとの修繕優先度が地図にマッピングされた画面である。例えば、図１０の例の場合、道路ごとの修繕優先度は、地図上の道路に重畳された線の種別で表される。図１０の例では、修繕優先度は高、中、低、微の４段階に分類されて表示されている。符号４０１で示される線は、修繕優先度が高であることを表している。符号４０２で示される線は、修繕優先度が中であることを表している。符号４０３で示される線は、修繕優先度が低であることを表している。符号４０４で示される線は、修繕優先度が微であること表している。また、地図にマッピングされた入力情報は、各入力情報が投稿された場所を示している。
【００６２】
表示制御部１１１ａは、優先度算出部１１０ａの指示が示す優先度表示画面の態様が第２の態様を示す場合、地図情報、入力情報及び道路情報に基づいて、図１０の例に示されるような第２の態様の優先度表示画面を表示するための画面データを生成する。
【００６３】
このように構成された第２の実施形態の道路維持管理システム１００ａは、各道路の修繕優先度を地図の態様で表示することが可能である。このように、各道路の修繕優先度が、地図の態様で表示されることによって、道路管理者は、各道路の修繕優先度を地域ごとに把握することが容易となる。道路管理者は、第１の態様の優先度表示画面と、第２の態様の優先度表示画面とを状況に応じて使い分けることによって、大局的な視点と局所的な視点の両方の視点で修繕優先度を捉えることが可能となり、より適切に修繕計画を立てることが可能となる。
【００６４】
次に、第２の実施形態の道路維持管理システム１００ａの変形例について説明する。
【００６５】
第２の態様の優先度表示画面は、入力情報及び優先度情報に限らず、他のどのような情報が表示されてもよい。また、優先度情報が表示される態様は、図１０の例のように線で表される態様に限定されない。例えば、点検データが、道路の一部分でのみ取得される場合には、優先度情報は、地図上に点として表示されてもよい。この場合についても、図１０と同様に、各点は、優先度情報が示す優先度の度合いが視覚により識別可能な態様で表示される。
【００６６】
（第３の実施形態）
図１１は、第３の実施形態の道路維持管理システム１００ｂの機能構成を示す機能ブロック図である。
図１１では、図９と同様の機能を有する機能部には図９と同じ符号を付すことによって説明を省略する。
道路維持管理システム１００ｂは、工事情報記憶部１１３をさらに備える点、工事情報取得部１１４をさらに備える点、効果判定部１１５をさらに備える点で第２の実施形態の道路維持管理システム１００ａと異なる。
【００６７】
工事情報記憶部１１３は、磁気ハードディスク装置や半導体記憶装置などの記憶装置を用いて構成される。地図情報記憶部１１２は、工事情報を保持する工事情報テーブル１１３１を記憶する。工事情報とは、修繕工事が行われた道路に関する情報である。
【００６８】
図１２は、工事情報テーブル１１３１の具体例を示す図である。
工事情報テーブル１１３１は、道路ＩＤごとに工事情報レコードを有する。工事情報レコードは、道路ＩＤ、工事実施日、工事内容及び効果情報の各値を有する。道路ＩＤは、修繕工事が行われた道路の識別情報である。道路ＩＤは、道路情報テーブル１０５１の道路ＩＤに対応する。工事実施時期は、道路ＩＤが示す道路の修繕工事が行われた時期を表す。工事内容は、実施された修繕工事の内容を示す情報である。効果情報は、実施された修繕工事の効果を示す情報である。工事情報レコードは、工事情報に基づいて工事情報取得部１１４によって生成され、工事情報テーブル１１３１に登録される。
【００６９】
図１１の説明に戻る。
工事情報取得部１１４は、道路管理者の操作により入力される工事情報を入力部１０２から取得する。入力される工事情報には、道路の識別情報が含まれる。工事情報取得部１１４は、取得された工事情報に基づいて工事情報レコードを生成する。工事情報取得部１１４は、生成した工事情報レコードを工事情報テーブル１１３１に登録する。なお、工事情報レコードが有する項目のうち、効果情報の値は、効果判定部１１５によって登録される。
【００７０】
効果判定部１１５は、入力情報及び工事情報に基づいて実施された修繕工事の効果を判定する。具体的には、効果判定部１１５は、修繕工事の実施時期の前後に投稿された入力情報の内容を比較することによって実施された修繕工事の効果を判定する。例えば、効果判定部１１５は、予め定められた１つ以上の採点基準に基づいて、修繕工事の実施時期に投稿された入力情報を採点する。そして、効果判定部１１５は、全ての採点基準における得点の合計を、修繕工事の前と後とで算出する。効果判定部１１５は、得点の合計値に基づいて、実施された修繕工事の効果を判定する。
【００７１】
効果判定部１１５による入力情報の採点方法には、図７に示した重要度の算出における採点方法と同様の方法を用いることができる。例えば、図７の例に示される採点基準のうち、「付近の件数」を効果判定の採点基準に用いる場合、工事の実施後に件数が少なくなっていれば、その地域の状況が改善されたと判断することができ、その入力情報には高得点を付与すればよい。
【００７２】
このように構成された第３の実施形態の道路維持管理システム１００ｂは、工事情報を取得して、修繕工事の前後に登録された入力情報を比較することによって、修繕工事の効果を判定することができる。この効果の判定によって、道路管理者は、実施した修繕工事の効果を踏まえ、将来の工事計画をより適切に行うことが可能となる。
【００７３】
なお、第３の実施形態の道路維持管理システム１００ｂは、効果判定部１１５によって判定された修繕工事の効果を、表示部１０３に表示させるように構成されてもよい。その場合、効果判定部１１５は、判定された修繕工事の効果を示す効果情報を表示制御部１１１ａに出力する。表示制御部１１１ａは、効果情報を示す効果表示画面を表示させるための画面データを生成する。表示制御部１１１ａは、生成した画面データを表示部１０３に出力することによって、効果表示画面を表示部１０３に表示させる。なお、効果表示画面に表示される情報は、効果情報以外の情報が表示されてもよい。例えば、工事前後に入力情報として取得された画像が表示されてもよいし、工事前後に点検データとして取得された画像が表示されてもよい。
【００７４】
以上説明した少なくともひとつの実施形態によれば、実施形態の道路維持管理システムは、道路の属性を示す属性情報と、道路の点検によって取得される点検情報と、道路の点検を行う主体とは異なる主体によって取得される入力情報と、に基づいて道路の修繕の優先度を判定する修繕優先度判定部を持つことにより、より簡易に道路の補修の優先度を判定することができる。
【００７５】
なお、図２、図９及び図１１に記載された全ての機能部は、１台の装置に実装されてもよいし、複数の装置に分散して実装されてもよい。いずれの場合であっても、このように構成された装置を備えるシステムは、上記の道路維持管理システム１００、１００ａ及び１００ｂとして機能することができる。
【００７６】
また、上記の道路維持管理システム１００、１００ａ及び１００ｂが有する機能は、クラウドシステムとして実装されてもよい。この場合、道路維持管理システム１００、１００ａ及び１００ｂは、道路管理者が使用する管理者端末装置からの要求に対して、修繕優先度を算出し、算出結果を優先度表示画面の画面データに含めて管理者端末装置に提供するシステムとして構成されてもよい。
【００７７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７８】
１００、１００ａ、１００ｂ…道路維持管理システム，１０１…通信部，１０２…入力部，１０３…表示部，１０４…入力情報記憶部，１０５…道路情報記憶部，１０６…入力情報取得部，１０７…重要度算出部，１０８…管理者登録部，１０９…点検情報取得部，１１０、１１０ａ…優先度算出部，１１１、１１１ａ…表示制御部，１１２…地図情報記憶部，１１３…工事情報記憶部，１１４…工事情報取得部，１１５…効果判定部，１０４１…入力情報テーブル，１０５１…道路情報テーブル，１１３１…工事情報テーブル，２００…入力画面，２０１…タイトル入力領域，２０２…カテゴリ入力領域，２０３…本文入力領域，２０４…画像入力領域，２０５…位置入力領域，２０６…送信ボタン，３００、４００…優先度表示画面
【図１】
0006437280.tif 000002
【図２】
0006437280.tif 000003
【図３】
0006437280.tif 000004
【図４】
0006437280.tif 000005
【図５】
0006437280.tif 000006
【図６】
0006437280.tif 000007
【図７】
0006437280.tif 000008
【図８】
0006437280.tif 000009
【図９】
0006437280.tif 000010
【図１０】
0006437280.tif 000011
【図１１】
0006437280.tif 000012
【図１２】
0006437280.tif 000013